(57)【要約】      （修正有）【課題】ビル側壁や駅施設など施設構築物に貼るポスターなど広告物を、張り替えの手間を不要とすべく、瞬時に内容を変更できるようにした施設構築物用の広告看板システムを提供する。【解決手段】モバイルボード１には、画面を保護する外枠２、電気接続装置３、モバイルボード内部（裏側）にパーソナルコンピューター４と短距離無線機能付携帯電話５を内蔵させ、外部コントロールセンター６より有線１３によるパーソナルコンピューターへのネット配信、無線による携帯電話への配信、短距離無線１５を使用して該モバイルボード付近より別の短距離無線機能付携帯電話７より送信、又、別に広告の画像及び画像と音声を一体として記憶したＣＤや記憶チップであるＵＳＢ８を内蔵しているパーソナルコンピューターにインストール１６して、広告用の画像及び画像と音声を一体として該モバイルボードに表示させる。【選択図】図１
0003147890.tif 000002
【実用新案登録請求の範囲】
【請求項１】
画像表示装置（モニター）単体（１）に、電気接続装置（電気引込口）（３）を設けて、外部より通電が可能とし、画像表示装置（以後モバイルボードという）内部にパーソナルコンピューター（４）及び短距離無線機能付携帯電話（５）を内蔵させた該画像表示装置を、屋内・屋外・屋上及び施設構築物に設置して、外部コントロールセンター（６）から該画像表示装置に広告用の画像及び画像と音声を一体として有線（１３）にてネット送信する、又は、外部コントロールセンターから無線（１４）にて内蔵している携帯電話に送信をして、該モバイルボードに画像及び画像と音声を一体として映し出して広告をする。
この他に、該モバイルボード付近にて内蔵している携帯電話に対して短距離無線にて別の短距離無線機能付携帯電話（７）から短距離無線（１５）にて画像及び画像と音声を一体として送信する。又、広告用の画像及び画像と音声を一体として記憶したＣＤや記憶チップであるＵＳＢ（８）を内蔵しているパーソナルコンピューターにインストール（１６）して該画像表示装置に画像及び画像と音声を一体表示させ広告をすることを特徴とするモバイルボード屋外・屋内・屋上及び施設構築物に対する広告看板。
送信する画像は、静止画、又は、動画である。
【請求項２】
上記の該モバイルボードを数枚（１）、縦横に平面に連結して一体型とし、各該モバイルボードを単体で受信させ別々の画像を表示させる、又は、該モバイルボード数枚が一つの画像になるように連結調整器（９）を使用して、一つの映像を表示させる大型モバイルボードとして使用して、外部コントロールセンター（６）から該モバイルボードに広告の画像及び画像と音声を一体として有線（１３）にてネット送信する。又は、外部コントロールセンターから無線（１４）にて内蔵している携帯電話に送信をして、該モバイルボードに画像及び画像と音声を一体として映し出して広告をする。
この他に、該モバイルボード付近にて内蔵している携帯電話に対して短距離無線にて別の短距離無線機能付携帯電話（７）から短距離無線（１５）にて画像及び画像と音声を一体として送信する。又、広告用の画像と音声を記憶したＣＤや記憶チップであるＵＳＢ（８）を内蔵しているパーソナルコンピューターにインストール（１６）して該モバイルボードに画像及び画像と音声を一体として映し出して広告をすることを特徴とするモバイルボード屋外・屋内・屋上及び施設構築物に対する広告看板。
【請求項３】
上記請求項１及び同２に記載する該モバイルボードの外部に、太陽光発電装置（１０）及び蓄電装置（１１）を設置し、太陽エネルギーから発生させた電気を蓄電器に蓄えて、その電気を通電線（１２）を使用して上記請求項１及び同２に記載する該モバイルボードに通電して、省エネとして使用電気量の節約を図る事ができる広告看板。
【考案の詳細な説明】
【技術分野】
【０００１】  本考案は、現在使用しているビル内部、ビル側壁、駅施設及び野球場やイベントホール等の施設構築物に貼ってあるポスター等の広告物に替えて、モバイルボードという名称の画像表示装置（以後モバイルボードという）を設置して使用し広告を行うもので、その該モバイルボードには、電気接続装置（電気引込口）・パーソナルコンピューター・短距離無線機能付携帯電話等を内蔵した物で、その該モバイルボードに外部コントロールセンターから広告用画像及び画像と音声を一体として有線にてネット送信する、又は、外部コントロールセンターから無線にて内蔵している携帯電話に送信をして、該モバイルボードに画像及び画像と音声を一体として映し出して広告をする。この他に、該モバイルボード付近にて内蔵している携帯電話に対して短距離無線にて別の短距離無線機能付携帯電話（７）から画像及び画像と音声を一体として送信する。又、広告用の画像及び画像と音声を一体として記憶したＣＤや記憶チップであるＵＳＢを、内蔵しているパーソナルコンピューターにインストールして該モバイルボードに画像及び画像と音声を一体として映し出して広告をすることを特徴とするモバイルボード屋外・屋内・屋上及び施設構築物に対する広告看板。
【背景技術】
【０００２】  一般にこの種の現在の貼っているポスター等の広告物は、当該広告ポスター等を変更する場合、変更に相当の時間と作業、高所での危険な作業であるビル屋上設置のネオンサイン等の取替え工事及び変更工賃がかかっているものである。
又、広告ポスターは１社のみで簡単に容易に広告のポスターやデザインが変更できないなどの不便等、さまざまな問題点がある。
【考案の開示】
【考案が解決しようとする課題】
【０００３】  本考案は、上記従来の欠点を解決するもので、その目的とする所は、広告の変更に関しては、外部コントロールセンターから該モバイルボードに広告の画像及び画像と音声を一体として有線にてネット送信する、又は、外部コントロールセンターから無線にて内蔵している携帯電話に送信をして、該モバイルボードであるモバイルボードに画像及び画像と音声を一体として映し出して広告をする。
この他に、該モバイルボード付近にて内蔵している携帯電話に対して短距離無線にて別の短距離無線機能付携帯電話から短距離無線にて画像及び画像と音声を一体として送信する。又、広告用の画像及び画像と音声を一体として記憶したＣＤや記憶チップであるＵＳＢを内蔵しているパーソナルコンピューターにインストールして該モバイルボードに画像及び画像と音声を一体として表示させ広告をすることを特徴とするモバイルボード屋外・屋内・屋上及び施設構築物に対する広告看板。
このように、ポスター等を貼り替えることなく、該モバイルボードに対し、広告等のデザインを瞬時に送信し、該モバイルボードに広告用画像及び画像と音声を一体として映しださせるようにして、又、多くの広告主によるデザインを画像表示することができ、より多くの広告効果を高めるようにしたものである。
【課題を解決するための手段】
【０００４】  上記目的を解決するために、本考案の単体での使用のモバイルボードは、ボード内部に電気接続装置（電気引込口）を設けて電気を接続させ、パーソナルコンピューター・短距離無線機能付携帯電話等を内蔵させ、そのモバイルボードに内蔵したパーソナルコンピューターに有線によるネット送信をする、又は、外部コントロールセンターから無線にて内蔵している携帯電話に送信をして、該モバイルボードに画像及び画像と音声を一体として映し出して広告をする。この他に、該モバイルボード付近にて短距離無線にて画像及び画像と音声を一体として携帯電話に送信する、又、広告用の画像及び画像と音声を一体として記憶したＣＤや記憶チップであるＵＳＢを内蔵しているパーソナルコンピューターに、インストールして該モバイルボードに画像と音声を表示させ、広告をすることを特徴とするモバイルボード屋外・屋内・屋上及び施設構築物に対する広告看板。
又単体使用のモバイルボードの他に、数枚を同時に使用する大型のモバイルボードは、モバイルボードを数枚、縦横に平面に連結して一体型とし、各モバイルボーソを単体で受信させ別々の画像を表示させる、又は、各モバイルボード数枚が一つの画像になるように連結調整器を使用して、大型の一つの映像と音声を表示させる大型モバイルボードとして使用して、有線によるネット送信、無線による送信、又は、短距離無線を利用して該モバイルボード付近から送信をする、別に、広告用の画像及び画像と音声を一体として記憶させたＣＤや記憶チップであるＵＳＢを内蔵しているパーソナルコンピューターにインストールして使用し、該モバイルボードに画像及び画像と音声を一体として映し出して広告をすることを特徴とするモバイルボード屋外・屋内・屋上及び施設構築物に対する広告看板。
【考案の効果】
【０００５】  本考案は、従来の広告版は、相当の期間同じデザインを貼り付けて広告をしていたが、瞬時にネット送信、無線送信、短距離無線送信又はＣＤや記憶チップであるＵＳＢを内蔵しているパーソナルコンピューターにインストール方法等を使用して変更できるので、広告の張替え費用と時間が極端に短縮される経済効果があり、又、高所でのネオンサイン等の取替え等の危険な作業を省くことができ、その他に、１箇所において相当数の広告デザインの同時掲載が可能となる効果がある。それと同時に相当数のデザイン掲載が可能な変更は広告収入の増加に繋がる。又、掲載画面が数十秒毎に変更することで変更時に人間の見る視認性を高めることとなり、それと比例して広告の使命である見る人々に視覚による広告を訴えることの広告効果が極端に高まる効果がある。
【考案を実施するための最良の形態】
【０００６】  本考案の最良の用法を説明すると、広告用の画像及び画像と音声を一体としたものを、該モバイルボードに内蔵されたパーソナルコンピューターに外部コントロールセンターから有線によるネット送信する、又は、外部コントロ−ルセンターから内蔵された携帯電話に無線送信をする、この他に、該モバイルボード付近にて内蔵している携帯電話に対して短距離無線にて別の短距離無線機能付携帯電話から画像及び画像と音声を一体として送信する、又、別に広告の画像及び画像と音声を一体として記憶したＣＤや記憶チップであるＵＳＢを内蔵しているパーソナルコンピューターにインストールして、該モバイルボードに容易に瞬時に広告デザインを変更して該モバイルボードに広告デザインの画像及び音声の掲載が可能となるようにしたものである。
【実施例】
【０００７】  本考案の実施例を図面について説明すると、図１には、モバイルボード（１）には、画面を保護する外枠（２）、電気接続装置（３）、モバイルボード内部（裏側）にパーソナルコンピューター（４）と短距離無線機能付携帯電話（５）を内蔵させ、外部コントロールセンター（６）より有線（１３）によるパーソナルコンピューターへのネット配信、無線（１４）による携帯意電話への配信、短距離無線（１５）を使用して該モバイルボード付近より別の短距離無線機能付携帯電話（７）より送信、又、別に広告の画像及び画像と音声を一体として記憶したＣＤや記憶チップであるＵＳＢ（８）を内蔵しているパーソナルコンピューターにインストール（１６）して、広告用の画像及び画像と音声を一体として該モバイルボードに表示させる。図２には、大型のモバイルボードに関し、上記の他に、単体のモバイルボード数枚を縦横に平面に設置して、一度に別々の画像が表示されるようにする、又は、大型の画像となるように数枚で同一の大型の画像表示が可能なように各ボードが連結して稼動する該モバイルボード連結調整器（９）を設け、大型画面に広告物が該モバイルボードに表示される。
これとは別に、図３には、該モバイルボード外部に太陽光発電装置（１０）及び蓄電装置（１１）を設置して、通電線（１２）を通じて太陽光にて発生した電気を使用して、省エネとして該モバイルボードの使用電気量の節約を図る。
【図面の簡単な説明】
【０００８】
【図１】モバイルボード単体の正面図
【図２】モバイルボード数枚を連結した大型画像の正面図
【図３】太陽光発電装置を連結した単体画像の正面図
【図４】太陽光発電装置を連結した大型画像の正面図
【符号の説明】
【０００９】１    モバイルボード（画像表示装置）
２    外枠
３    電気接続装置
４    パーソナルコンピューター
５    短距離無線機能付携帯電話機能装置
６    コントロールセンター（外部）
７    外部短距離無線機能付携帯電話機能装置
８    広告の画像及び画像と音声を一体として記憶したＣＤやＵＳＢ（記憶チップ）
９    連結調整器
１０  太陽光発電装置
１１  蓄電装置
１２  通電線
１３  有線
１４  無線
１５  短距離無線
１６  ＣＤやＵＳＢを使用したパーソナルコンピュターへのインストール
【図１】
0003147890.tif 000003
【図２】
0003147890.tif 000004
【図３】
0003147890.tif 000005
【図４】
0003147890.tif 000006
【手続補正書】
【提出日】平成20年7月14日(2008.7.14)
【手続補正１】
【補正対象書類名】実用新案登録請求の範囲
【補正対象項目名】請求項１
【補正方法】変更
【補正の内容】
【請求項１】
画像表示装置（モニター）単体（１）に、電気接続装置（電気引込口）（３）を設けて、外部より通電が可能とし、内部にパーソナルコンピューター（４）及び短距離無線機能付携帯電話（５）を内蔵させた該画像表示装置（以下モバイルボードという）を、屋内・屋外・屋上及び施設構築物に設置して、外部コントロールセンター（６）から該モバイルボードに広告用の画像（静止画又は動画。以下同様）及び画像と音声を一体として有線（１３）にてネット送信、又は、外部コントロールセンターから無線（１４）にて内蔵している携帯電話に送信をして、該モバイルボードに画像及び画像と音声を一体として映し出して広告をし、またこの他に、該モバイルボード付近にて内蔵している携帯電話に対して短距離無線にて別の短距離無線機能付携帯電話（７）から短距離無線（１５）にて画像及び画像と音声を一体として送信し、さらに、広告用の画像及び画像と音声を一体として記憶したＣＤや記憶チップであるＵＳＢ（８）を内蔵しているパーソナルコンピューターにインストール（１６）して該画像表示装置に画像及び画像と音声を一体表示させ広告をすることを特徴とするモバイルボード屋外・屋内・屋上及び施設構築物に対する広告看板。
【手続補正２】
【補正対象書類名】実用新案登録請求の範囲
【補正対象項目名】請求項２
【補正方法】変更
【補正の内容】
【請求項２】
上記の該モバイルボードを数枚（１）、縦横に平面に連結して一体型とし、各該モバイルボードを単体で受信させ別々の画像を表示させる、又は、該モバイルボード数枚が一つの画像になるように連結調整器（９）を使用して、一つの映像を表示させる大型モバイルボードとして使用して、外部コントロールセンター（６）から該モバイルボードに広告の画像及び画像と音声を一体として有線（１３）にてネット送信、又は、外部コントロールセンターから無線（１４）にて内蔵している携帯電話に送信をして、該モバイルボードに画像及び画像と音声を一体として映し出して広告をし、またこの他に、該モバイルボード付近にて内蔵している携帯電話に対して短距離無線にて別の短距離無線機能付携帯電話（７）から短距離無線（１５）にて画像及び画像と音声を一体として送信し、さらに、広告用の画像と音声を記憶したＣＤや記憶チップであるＵＳＢ（８）を内蔵しているパーソナルコンピューターにインストール（１６）して該モバイルボードに画像及び画像と音声を一体として映し出して広告をすることを特徴とするモバイルボード屋外・屋内・屋上及び施設構築物に対する広告看板。
【手続補正書】
【提出日】平成20年10月20日(2008.10.20)
【手続補正１】
【補正対象書類名】実用新案登録請求の範囲
【補正対象項目名】請求項２
【補正方法】変更
【補正の内容】
【請求項２】
画像表示装置（モニター）単体（１）に、電気接続装置（電気引込口）（３）を設けて、外部より通電が可能とし、内部にパーソナルコンピューター（４）及び短距離無線機能付携帯電話（５）を内蔵させた該画像表示装置（以下モバイルバードという）を数枚（１）、縦横に平面に連結して一体型として、各該モバイルバードを単体で受信させて別々の画像を表示させる、又は、該モバイルボード数枚が一つの画像になるように連結調整器（９）を使用して、一つの映像を表示させる大型モバイルボードとして使用して、外部コントロールセンター（６）から該モバイルバードに広告の画像及び画像と音声を一体として有線（１３）にてネット送信するか、又は、外部コントロールセンターから無線（１４）にて内蔵している携帯電話に送信をして、該モバイルバードに画像及び画像と音声を一体として映し出して広告をするか、この他に、該モバイルボード付近から内蔵している携帯電話に対して短距離無線にて別の短距離無線機能付携帯電話（７）から短距離無線（１５）にて画像及び画像と音声を一体として送信するか、又、広告用の画像と音声を記憶したＣＤや記憶チップであるＵＳＢ（８）を内蔵しているパーソナルコンピューターにインストール（１６）して該モバイルボードに画像及び画像と音声を一体として映し出して広告をする事を特徴とするモバイルバード屋外・屋内・屋上及び施設構築物に対する広告看板。
【手続補正２】
【補正対象書類名】実用新案登録請求の範囲
【補正対象項目名】請求項３
【補正方法】変更
【補正の内容】
【請求項３】
画像表示装置（モニター）単体（１）に、電気接続装置（電気引込口）（３）を設けて、外部より通電が可能とし、内部にパーソナルコンピューター（４）及び短距離無線機能付携帯電話（５）を内蔵させた該画像表示装置（以下モバイルバードという）の外部に、太陽光発電装置（１０）及び蓄電装置（１１）を設置し、太陽エネルギーから発生させた電気を蓄電器に蓄えて、その電気を通電線（１２）を使用して該モバイルボードに通電して、省エネとして使用電気量の節約を図ることが出来る広告看板。